(57)【要約】  【課題】  利用者にとって快適な状態で、専門的な知識を要することなく、適切に脊椎等の歪みの矯正ができる骨格矯正具を提供する。  【解決手段】  骨格矯正具１００は、クッション部材１０１ａ、１０１ｂ、及びシート１０２から構成されている。クッション部材１０１ａ及び１０１ｂは、復元力及び持久力のある発泡ウレタンからなり、軸方向は少なくとも椎骨の３本分以上の長さを有している。そして、クッション部材１０１ａ及び１０１ｂをシート１０２上に脊椎の横突起の間隔に設置して、使用者は脊椎の矯正を行う箇所をクッション部材１０１上に載置する。  【選択図】  図１
2006061251.tif 000002
【特許請求の範囲】
【請求項１】
脊椎の歪みを矯正するために、身体の上下方向に、少なくとも脊椎を構成する椎骨の一部又は全部を載置可能な長さを有し、所定間隔において平行に配置される一対のクッション部材からなる
ことを特徴とする骨格矯正具。
【請求項２】
前記骨格矯正具は、さらに、
前記クッション部材を前記所定間隔において着脱自在に固定するシートを備え、
前記クッション部材の下面には、前記シートに固定するテープが貼り付けられる
ことを特徴とする請求項１記載の骨格矯正具。
【請求項３】
前記クッション部材の材質は、発泡ウレタンである
ことを特徴とする請求項１記載の骨格矯正具。
【請求項４】
前記発泡ウレタンの硬度は、約０．８チップである
ことを特徴とする請求項３記載の骨格矯正具。
【請求項５】
前記クッション部材の形状は、円柱の四分の一等分の形状であり、
前記長さは、少なくとも前記椎骨３本分以上の長さである
ことを特徴とする請求項３記載の骨格矯正具。
【請求項６】
前記長さは、脊椎を構成する頚椎から腰椎に亘る長さであり、
前記クッション部材の上面側には、前記脊椎の形状に合わせた曲線形状が形成され、前記クッション部材の短手方向には、身体の左右のいずれかの方向に向かって下方に傾斜する傾斜部が形成されている
ことを特徴とする請求項３記載の骨格矯正具。
【請求項７】
前記長さは、脊椎を構成する頚椎から仙骨に亘る長さであり、
前記クッション部材の上面側には、前記脊椎の形状に合わせた曲線形状が形成され、前記クッション部材の短手方向には、身体の左右のいずれかの方向に向かって下方に傾斜する傾斜部が形成されている
ことを特徴とする請求項３記載の骨格矯正具。
【請求項８】
前記長さは、脊椎を構成する頚椎から腰椎に亘る長さであり、
前記クッション部材は、断面略長方形状であり、上面には前記脊椎の椎骨の配置にあわせた複数の連続する円弧部が形成されている
ことを特徴とする請求項３記載の骨格矯正具。
【請求項９】
前記クッション部材の側面には、他のクッション部材と連結可能な連結手段であるテープが貼り付けられている
ことを特徴とする請求項１から８の少なくとも１項に記載の骨格矯正具。
【請求項１０】
前記クッション部材を肋骨の矯正にも用いる
ことを特徴とする請求項１から８の少なくとも１項に記載の骨格矯正具。
【請求項１１】
前記所定間隔は、前記椎骨の左右の横突起の間隔である
ことを特徴とする請求項１記載の骨格矯正具。
【請求項１２】
前記長さは、脊椎を構成する頚椎から腰椎に亘る長さであり、
前記クッション部材は、断面略長方形状に形成され、上面には前記脊椎の椎骨間に配置されているローラと、左右に対として配置される前記クッション部材の上面に配置されている前記ローラを連結するローラ軸とが配置される
ことを特徴とする請求項３記載の骨格矯正具。
【請求項１３】
前記ローラの材質は、発泡ウレタンである
ことを特徴とする請求項１２記載の骨格矯正具。
【発明の詳細な説明】
【技術分野】
【０００１】
本発明は、骨格のズレを矯正するための骨格矯正具に関し、特に、脊椎を正しい位置に矯正する骨格矯正具に関する。
【背景技術】
【０００２】
一般的に、長年の姿勢習慣に伴い、人の背骨を構成する各脊椎は、回旋、左右や上下等の方向に微妙にズレや歪みが生じている。そして、この脊椎の歪みが、腰痛や肩こり等の全身の筋肉疲労や障害、スタイルの変形が生じる原因となることがある。
【０００３】
図１０は、脊椎１００１のズレを説明するための参考図である。
本図に示すように脊椎１００１は、複数の椎骨１００１ａから構成されている。そして、例えば椎骨１００１ｃには背中側に、棘突起１００２と左右方向に伸びる横突起１００３及び１００４が形成されている。
【０００４】
そして、椎骨１００１ａ等の連結は、身体の左右方向、前後方向、これらを組み合わせた様々な方向に歪み、整骨医等によって、骨格矯正具を用いて、これらのズレの矯正することが行われている。本図においては椎骨１００１ｂが右方向に歪んでいる場合である。
【０００５】
そして、例えば、一方が高く、他方が低くなった略弓形の対の側板間に設けた軸と、軸に回転自在に設けたローラ、及び大径のローラとで構成される背骨、腰骨用のストレッチャーであり、背骨等の不調を訴える人に対して、優しく且つ的確な効能が発揮できる姿勢の矯正を行うことができる健康器具が開示されている（例えば、特許文献１参照）。
【０００６】
また、枕型の袋内部に硬質ウレタンなどで芯を入れて、その周りに弾力性に富んだクッション素材を十分に詰め込み、腰椎部分の理想的な湾曲を支え生み出す強度と弾性を備える姿勢矯正腰当て枕が開示されている（例えば、特許文献２参照）。
【０００７】
さらに、中山式矯正具と呼ばれる従来から使用されている骨格矯正具もある。
【特許文献１】特開２００３−２３５９２２号公報
【特許文献２】特開２０００−１８５０６３号公報
【発明の開示】
【発明が解決しようとする課題】
【０００８】
しかしながら、従来の脊椎矯正具においては、比較的固い材質が使用されており、使用時において利用者が痛みを感じるという問題がある。
また、例えば、椎骨を押圧できる長さが脊椎１〜２本分しかないために、かえって椎骨に対する負荷が局所的に加わり、脊椎の矯正を通り越して脊椎を痛めるという問題もある。
【０００９】
またさらに、使用者が専門家でないような場合においては、脊椎の矯正位置を正確に把握できず、使用者にとって都合の良い、誤った位置に矯正具を用いるという問題もある。
本発明は、以上の課題に鑑みてなされたものであり、使用時において快適な状態で、脊椎の位置ずれを適切に矯正できる骨格矯正具を提供することを第一の目的としている。
【００１０】
また、個人が宅内において使用する場合にも、専門的な知識を要することなく、脊椎の矯正を適切に行うことのできる骨格矯正具を提供することを第二の目的とする。
【課題を解決するための手段】
【００１１】
以上の課題を解決するために、本発明に係る骨格矯正具は、脊椎の歪みを矯正するために、身体の上下方向に、少なくとも脊椎を構成する椎骨の一部又は全部を載置可能な長さを有し、所定間隔において平行に配置される一対のクッション部材からなることを特徴とする。
【００１２】
また、本発明に係る骨格矯正具は、さらに、前記クッション部材を前記所定間隔において着脱自在に固定するシートを備え、前記クッション部材の下面には、前記シートに固定するテープが貼り付けられることを特徴とする。さらに、本発明に係る骨格矯正具の前記クッション部材の材質は、発泡ウレタンであることを特徴とする。
【００１３】
これらの構成により、歪みの生じている脊椎の箇所をクッション部材上に載置して、脊椎の歪みを適切に矯正することが可能となる。また、シート上にクッション部材を載置することにより個人の脊椎の幅に合わせた使用が可能となる。さらに、クッション部材を発泡ウレタンとすることにより、適切な弾力性及び持久性を実現することが可能となる。
【００１４】
また、本発明に係る骨格矯正具の前記発泡ウレタンの硬度は、約０．８チップであることを特徴とし、前記クッション部材の形状は、円柱の四分の一等分の形状であり、前記長さは、少なくとも前記椎骨３本分以上の長さであることを特徴とし、前記長さは、脊椎を構成する頚椎から仙骨に亘る長さであり、前記クッション部材の上面側には、前記脊椎の形状に合わせた曲線形状が形成され、前記クッション部材の短手方向には、身体の左右のいずれかの方向に向かって下方に傾斜する傾斜部が形成されていることを特徴とする。
【００１５】
これらの構成により、本発明に係る骨格矯正具においては、脊椎全面を一時に押圧して矯正が出来るために、矯正箇所の特定等の専門的な知識を要求されることがなく、宅内においても、適切に脊椎の矯正を行うことが可能となる。
【００１６】
さらに、本発明に係る骨格矯正具は、前記長さは、脊椎を構成する頚椎から腰椎に亘る長さであり、前記クッション部材は、断面略長方形状に形成され、上面には前記脊椎の椎骨間に配置されているローラと、左右に対として配置される前記クッション部材の前記ローラを連結するローラ軸とが配置されることを特徴とする。
【００１７】
この構成により、脊椎を構成する椎骨毎の左右の歪みを確実に矯正でき、より効果的に脊椎矯正を図ることが可能となる。
【発明の効果】
【００１８】
本発明に係る骨格矯正具は、使用者にとって快適な押圧感で、左右バランスよく安全に背骨の歪みの矯正を行うことができ、また、専門的な知識を備えていなくても、宅内において、簡易に脊椎の横ズレや回旋等を矯正できる。
【発明を実施するための最良の形態】
【００１９】
以下、本発明に係る骨格矯正具の実施の形態について図面を参照して説明を行う。
（実施の形態１）
図１は、本実施の形態１に係る骨格矯正具１００の全体図を示す。
【００２０】
図１（ａ）に示すように、骨格矯正具１００は、一対のウレタン製のクッション部材１０１ａ及び１０１ｂと、クッション部材１０１の下面に設けられ、面ファスナー１０２ａが貼り付けられているシート１０２とから構成される。そして、これらのクッション部材１０１ａ及び１０１ｂはシート１０２上に脊椎の幅の距離を有して対向する位置に設置される。このシート１０２の大きさは、例えば３０ｃｍ×１０ｃｍである。図１（ｂ）には、クッション部材１０１をシート１０２上に装着した外観図を示している。
【００２１】
クッション部材１０１の材質は、身体になじむ硬さであり、例えば復元力及び持久力のある発泡ウレタン等の材質となる。発泡ウレタンは、０．８チップ程度の硬さが最適となる。そして、クッション部材１０１には丈夫な布地か皮革（人工も含む）で作られた専用の外袋が装着される。
【００２２】
また、クッション部材１０１は、半径が５〜６ｃｍの円柱を四分の一等分した形状であり、軸方向の長さは脊椎の３ピッチ以上の長さを有することを特徴とする。このため、本実施の形態１に係る骨格矯正具１００は、少なくとも脊椎３箇所を同時に押圧することが可能であるために、使用時において脊椎に無理な力が加わることを防止することが可能となる。尚、径や軸方向の長さは例示であって、本発明はこれに限定されるものではない。
【００２３】
図２は、本実施の形態１に係る骨格矯正具１００を用いた場合において脊椎１０４とクッション部材１０１の関係を示す断面図である。
使用者１０３の脊椎１０４のうち回旋している椎骨は、本発明に係る骨格矯正具のクッション部材１０１により左右両方の横突起に対して均等の力が加わる。このため、クッション部材１０１に椎骨の横突起が押し当てられて、ねじられている椎骨には正常な状態に戻るように回転運動が与えられ、歪んでいる椎骨が左右均等な位置に矯正されることとなる。
【００２４】
図３は、本実施の形態１に係る骨格矯正具１００を使用者３０１が実際に使用したときの外観図を示す。
図３（ａ）に示すように、使用者３０１が骨格矯正具１００を寝た姿勢において使用する場合においては、矯正が必要である箇所の上に上臥位で脊椎の左右の横突起にシート１０２上に載置された骨格矯正具１００が接触する位置において体を載せることにより、脊椎の歪みを矯正する。
【００２５】
また、図３（ｂ）に示すように、骨格矯正具１００は、平らな床面の上で使用できるほかに、シート１０２に形成されている面ファスナー１０２ａを用いて、いすの背に立てても使用することが出来る。
【００２６】
座った姿勢において骨格矯正具１００を使用する場合においては、椅子の背面に骨格矯正具１００を、面ファスナー１０２ａ等により固定して、座りながら体重を掛けることにより脊椎の歪みを矯正する。このように、骨格矯正具１００を着脱可能な面ファスナー等によってイス、ソファー等に軽く固定して必要な高さで使用することにより、例えば、仕事の休憩時において気軽に使用することができ、気分転換を図ることが可能となる。
【００２７】
尚、骨格矯正具１００は、使用時において必ずしも面ファスナー１０２ａで固定する必要性はなく、好みの位置に手で合せて用いることもできる。
以上の説明のように、本実施の形態１に係る骨格矯正具１００においては、発泡ウレタンからなるクッション部材１０１を用いて、円柱を４等分した形状とし、またその軸方向の長さを脊椎の３本分以上とする。また、使用時においては、クッション部材１０１をシート１０２上に設置して使用する。
【００２８】
従って、本実施の形態１に係るクッション部材１０１の上に身体を上臥位で脊椎の左右の横突起の位置に骨格矯正具１００を静かに当てて、矯正が必要な位置を確認し、体重を加えることにより、脊椎の回旋、並びに後突を、骨格矯正具１００の中心に対して外部から加わる力が垂直方向、及び体の外側に向かう水平方向に分かれるために、骨格矯正具１００に加わる反動を利用して、オステオバシー効果により左右バランスよく矯正することが可能となる。
【００２９】
そして、本実施の形態１に係る骨格矯正具１００を使用することにより、脊椎の歪みを元の位置に矯正し、腰痛、肩こり、首や背中の筋肉疲労等を和らげる効果を生じる。また、筋肉を正しい位置に矯正するというマッサージ効果も有する。
【００３０】
また、本実施の形態１に係る骨格矯正具１００の材質は発泡ウレタンであるために、軽量とできる。さらに、使用者３０１は、宅内においても、安全に、快適な押圧感で骨格矯正具１００を使用することができる。
【００３１】
またさらに、本実施の形態１に係る骨格矯正具１００は骨格矯正に関する専門知識を必要としないために、使用者自身が簡易に、宅内において、脊椎の位置ずれを矯正できる。
そして、面ファスナー１０２ａによりシート１０２上にクッション部材１０１を固定するため、クッション部材１０１間のスペースの間隔を、使用者３０１の脊椎の幅に合わせて自在に選択して使用できる。
【００３２】
尚、本実施の形態１に係る骨格矯正具１００は一対を同時に使用するのみでなく、使用者の好みに合せて左右どちらか一方のクッション部材１０１ａ又は１０１ｂを単独で使用することもできる。また、クッション部材１０１の配置を左右逆にして使用することも考え得る。
【００３３】
（実施の形態２）
次に、本発明に係る骨格矯正具の第二の実施の形態について図面を参照して説明を行う。尚、本実施の形態２に係る骨格矯正具は、脊椎の全面に渡る長さを有し、脊椎の全面を同時に矯正できることを特徴としている。
【００３４】
図４（ａ）は、本実施の形態２に係る骨格矯正具４００の外観図である。尚、発泡ウレタンからなるクッション部材４０１ａ及び４０１ｂが、面ファスナー４０２ａが貼り付けられてシート４０２上に載置されて使用されることは上述した実施の形態１と同様となる。
【００３５】
本実施の形態２に係る骨格矯正具４００の長手方向の長さは、脊椎の頚椎から腰椎に至る長さとなる。また、上下方向には、人の脊椎の形状に合わせた曲線形状が形成されている。尚、図４（ｂ）は、骨格矯正具４００のクッション部材４０１ａ及び４０１ｂの左右の配置を逆にした場合の外観図を示している。
【００３６】
図５は、本実施の形態２に係る骨格矯正具４００を実際に使用した場合の外観図を示す。
図５（ａ）は、骨格矯正具４００を寝た姿勢において使用する場合の外観図を示し、骨格矯正具４００は使用者３０１の脊椎の全面を一時に押圧することが可能となる。
【００３７】
図５（ｂ）は、骨格矯正具４００を座った姿勢において使用する場合の外観図を示し、座位においても脊椎の矯正を一時に行うことが可能となる。
図６（ａ）は、上面に、脊椎の位置に合わせて円弧部６０１ｃを形成した骨格矯正具６００の外観図である。骨格矯正具６００の各クッション部材６０１ａ及び６０１ｂには、例えば脊椎の形状に合わせた円弧部６０１ｃが形成されている。
【００３８】
図６（ｂ）は、他の形態を有する骨格矯正具６０２の外観図である。この骨格矯正具６０２はクッション部材６０２ａ及び６０２ｂの側面に面ファスナーを用いて他の骨格矯正具６０２と連結することが可能となる。尚、例えば、円弧部６０１ｃの１ピッチは、脊椎の椎骨の２本分に対応する長さとなり、使用者は全ての脊椎の矯正を行うには椎骨の位置をずらして２回行う必要性がある。
【００３９】
以上の説明のように、本実施の形態２に係る骨格矯正具４００は、長手方向に脊椎の全面に渡る長さを有している。従って、骨格矯正具４００の使用時において、使用者３０１が勝手に都合の良い場所を押さえることを防止して、適切に脊椎の回旋、横ズレ等の骨格の矯正を行うことができる。
【００４０】
また、使用者３０１の身体と骨格矯正具４００との接触部は脊椎に沿って連続となるために、歪んだ骨の位置に正確に当てる専門的な技術は必要とせず、個人が宅内において気軽に本実施の形態２に係る骨格矯正具４００を使用することができる。
【００４１】
また、上述した実施の形態１と同様に、使用者の好みに合わせて、クッション部材４０１ａ及び４０１ｂを一対で使用するのみでなく、片方のみで使用もできる。さらに、クッション部材４０１の左右の配置を逆にして使用することにより、脊椎の水平方向の矯正だけでなく、肋骨側の骨の上下方向の矯正もできる。
【００４２】
そして、骨格矯正具４００は、面ファスナー４０２ａを用いてシート４０２に固定して使用できるために、クッション部材４０１間のスペースの幅を変更でき、使用者の体格に合った間隔とできる。
【００４３】
また、本実施の形態２に係る骨格矯正具４００は、平らな床面の上で使用できるほかは、いすの背に立てても使用することが出来るため、自宅や職場等の様々な場所において使用することが可能となる。
【００４４】
尚、図７（ａ）、図７（ｂ）、及び図７（ｃ）には、他の形状を有する骨格矯正具７０１、７０２、及び７０３の外観図を示す。
本図に示すように、骨格矯正具７０１等を２山にして個々を分離することによって、脊椎のみ、脊椎と肋骨の両方の矯正を使用者が変更でき、身体への骨格矯正具７０１等の当たりを調節して、使用者の好みに応じた使用形態とできる。
【００４５】
また、本実施の形態２に係る骨格矯正具４００の腰椎側の形状を延長させて、脊椎と仙骨との位置関係をも矯正することも考え得る。
【００４６】
（実施の形態３）
次に、図面を参照して、骨格矯正具の第三の実施の形態についての説明を行う。本実施の形態３に係る骨格矯正具は、主に肋骨の上下方向の傾きを矯正するものである。
【００４７】
図８は、本実施の形態３に係る骨格矯正具８０１の外観図を示す。
一般的に、人の肋骨は加齢と共に上下方向に傾くため、本実施の形態３に係る骨格矯正具８０１は、例えば、図８（ａ）に示すように、肋骨の矯正用に適した円弧面を有する４つの切込み部８０２を有している。
【００４８】
図８（ｂ）は、骨格矯正具８０１を実際に使用した場合の外観図である。
使用者８０３は、矯正を行う側の肋骨部に、骨格矯正具８０１を他方の手を用いて押し当てて、肋骨の矯正を行う。そして、肋骨を上方向に矯正する場合においては、傾斜部分を上方向に向けて使用し、肋骨を下方向に矯正する場合においては傾斜部分を下方向に向けて使用する。このように、ピッチの傾斜部分を反対にして使用することにより、肋骨を下げる方向に矯正したり、上げる方向に矯正したりすることが可能となる。
【００４９】
以上の説明のように、本実施の形態３に係る骨格矯正具８０１は、肋骨の矯正を行うように適切な長さで形成されると共に、４つの連続した円弧部８０２が形成されている。
従って、肋骨の上下方向の矯正ができ、肋骨の位置がずれている人は、側臥位において、骨格矯正具８０１をあばら骨に当てて、下げる方向に矯正したり、上げる方向に矯正したり好みの位置の矯正を行うことができる。尚、本実施の形態３に係る骨格矯正具８０１に形成されている切込み部は４つに限定されるものではない。また、骨格矯正具８０１は、患者の症状にあわせて脊椎を矯正したり、肋骨を矯正したりして、様々な仕様態様を取ることが可能となる。
【００５０】
（実施の形態４）
次に、図面を参照して、本発明に係る骨格矯正具の第四の実施の形態について説明する。本実施の形態４に係る骨格矯正具は、椎骨の間隔毎に配置されているローラを用いて脊椎の矯正を行うものである。
【００５１】
図９は、本実施の形態４に係る骨格矯正具９００の上面図及び側面図を示す。尚、図９において、図９（ａ）は骨格矯正具９００の上面図であり、図９（ｂ）及び（ｃ）は、骨格矯正具９００の側面図となる。
【００５２】
ローラ９０１は、発泡ウレタンの素材からなり、鉄等の硬質の材料からなるローラ軸９０２において左右の骨格矯正具９００間において支えられている。
骨格矯正具９００の外周上面には、ローラ９０１を配置するための枠が形成され、ローラ９０１を連結するローラ軸９０２を延長し、外枠の所定位置に孔を開け、それらの孔にローラ軸９０２を通してローラ９０１の位置決めを行う。
【００５３】
また、ローラ９０１の外径は、加重が掛かった時に隣接するローラ９０１とローラ９０１とが歪みによって接触しないように設定する必要があり、例えば、隣接するローラ９０１間の距離は、頚椎部においては約１，２ｃｍ、胸椎部においては約２，５ｃｍ、腰椎部においては約３，０ｃｍとなる。
【００５４】
以上のように、本実施の形態４に係る骨格矯正具９００においては、椎骨間毎に配置されているローラ９０１を用いて脊椎の矯正を行うために、ローラ９０１が各椎骨の横突起に割り込み、１回の矯正で左右のどちらの傾きをも効率的に矯正することが可能となる。
【産業上の利用可能性】
【００５５】
本発明に係る骨格矯正具は、脊椎の歪みを矯正するために、病院や治療所等において用いることができると共に、宅内において個人的に使用する骨格矯正具とできる。
【図面の簡単な説明】
【００５６】
【図１】実施の形態１に係る骨格矯正具の全体図
【図２】実施の形態１に係る骨格矯正具を用いた場合において脊椎と骨格矯正具の関係を示す断面図
【図３】実施の形態１に係る骨格矯正具を使用者が実際に使用したときの外観図
【図４】実施の形態２に係る骨格矯正具の外観図
【図５】実施の形態２に係る骨格矯正具を実際に使用した場合の外観図
【図６】他の形状の骨格矯正具の外観図
【図７】他の形状を有する骨格矯正具の外観図
【図８】実施の形態３に係る骨格矯正具の外観図
【図９】実施の形態４に係る骨格矯正具の上面図及び側面図
【図１０】脊椎のズレを説明するための参考図
【符号の説明】
【００５７】
１００，４００，６００，６０２，８０１  骨格矯正具
１０１ａ，１０１ｂ，４０１ａ，４０１ｂ，６０１ａ，６０１ｂ  クッション部材
１０２，４０２  シート
１０２ａ，４０２ａ  面ファスナー
１０３，３０１，８０３  使用者
１０４  脊椎
７０１〜７０３  骨格矯正具
９００  骨格矯正具
９０１  ローラ
９０２  ローラ軸
【図１】
2006061251.tif 000003
【図２】
2006061251.tif 000004
【図３】
2006061251.tif 000005
【図４】
2006061251.tif 000006
【図５】
2006061251.tif 000007
【図６】
2006061251.tif 000008
【図７】
2006061251.tif 000009
【図８】
2006061251.tif 000010
【図９】
2006061251.tif 000011
【図１０】
2006061251.tif 000012